(57)【特許請求の範囲】
【請求項１】
制御物理スロットおよび通話物理スロットを含み、各スロット内にプリアンブル信号を含むとともに、各スロット間にガードタイムが設定され、前記制御物理スロットのプリアンブル信号の期間は、前記通話物理スロットのプリアンブル信号の期間より長く設定されたバースト状の信号を受信する複数のアンテナと、
前記複数のアンテナにそれぞれ対応して設けられ、各アンテナの受信信号をそれぞれ入力する複数の受信回路ブランチと、
前記受信回路ブランチの受信レベルをそれぞれ検出する複数のレベル検出手段と、
前記複数のレベル検出手段の検出出力に基づき受信レベルが最大の受信回路ブランチを判定する判定手段と、
前記判定手段の判定出力に対応して前記複数の受信回路ブランチの内の１つを選択する選択手段と、
前記制御物理スロットの受信時には、該制御物理スロットのプリアンブル信号の期間内の第１のタイミングで前記判定手段による判定を行い、かつ該制御物理スロットのプリアンブル信号の期間内の第２のタイミングで前記選択手段による選択を行い、前記通話物理スロットの受信時には、前記第１のタイミングと同一のタイミングで前記判定手段による判定を行い、前記ガードタイムの期間内の第３のタイミングで前記選択手段による選択を行う判定選択制御手段と
を具備する選択ダイバーシチ装置。
【請求項２】
前記アンテナで受信するバースト状の信号は、
前記制御物理スロットおよび前記通話物理スロットを含むフレームをマルチフレーム化したスーパーフレーム構成の信号からなる請求項１記載の選択ダイバーシチ装置。
【請求項３】
制御物理スロットおよび通話物理スロットを含み、各スロット内にプリアンブル信号を含むとともに、各スロット間にガードタイムが設定され、前記制御物理スロットのプリアンブル信号の期間は、前記通話物理スロットのプリアンブル信号の期間より長く設定されたバースト状の信号を受信する複数のアンテナと、
前記複数のアンテナにそれぞれ対応して設けられ、各アンテナの受信信号をそれぞれ入力する複数の受信回路ブランチと、
前記受信回路ブランチの受信レベルをそれぞれ検出する複数のレベル検出手段と、
前記複数のレベル検出手段の検出出力に基づき受信レベルが最大の受信回路ブランチを判定する判定手段と、
前記判定手段の判定出力に対応して前記複数の受信回路ブランチの内の１つを選択する選択手段と、
を具備する選択ダイバーシチ装置の制御方法において、
前記制御物理スロットの受信時には、該制御物理スロットのプリアンブル信号の期間内の第１のタイミングで前記判定手段による判定を行い、かつ該制御物理スロットのプリアンブル信号の期間内の第２のタイミングで前記選択手段による選択を行う第１のステップと、
前記通話物理スロットの受信時には、前記第１のタイミングと同一のタイミングで前記判定手段による判定を行い、前記ガードタイムの期間内の第３のタイミングで前記選択手段による選択を行う第２のステップと
を具備する選択ダイバーシチ装置の制御方法。
【請求項４】
前記アンテナで受信するバースト状の信号は、
前記制御物理スロットおよび前記通話物理スロットを含むフレームをマルチフレーム化したスーパーフレーム構成の信号からなる請求項３記載の選択ダイバーシチ装置の制御方法。
【発明の詳細な説明】
技術分野
この発明は時分割多重されたディジタル信号を用いるディジタル移動通信における選択ダイバーシチ装置およびその制御方法に関し、特に、受信ディジタル信号に含まれるプリアンブル信号の信号区間の長さに対応して受信回路ブランチの切換タイミングを異ならせるようにして、信号誤りを防止した選択ダイバーシチ装置およびその制御方法に関する。
背景技術
従来のディジタル移動通信の選択ダイバーシチ方式としては、
１）受信系列（受信回路ブランチ）を複数設け、各系列の復調信号の中から受信品質に基づいて受信回路ブランチを選択切換を行う検波後ダイバーシチ方式
２）検波前の無線周波数信号（RF）または中間周波数信号（IF）の段階で受信回路ブランチの選択切換を行う検波前ダイバーシチ方式
などが知られている。
ところで、前者の検波後ダイバーシチ方式は、良好なダイバーシチ効果があるが、検波までの受信系列を複数必要とするという欠点があり、また後者の検波前ダイバーシチ方式では、切換後は単一の受信系列で良いが、信号受信中にブランチを切換えると、無線周波数信号または中間周波数信号で位相不連続に起因する信号誤りが発生するという欠点がある。
このため、従来、後者の検波前ダイバーシチ方式を採用しようとする場合、受信回路ブランチの切換えを、信号誤りが問題とならない、例えば、プリアンブル信号受信中に行う必要がある。
しかし、ディジタル移動通信においてこのプリアンブル信号区間は、一般に、制御チャネルの制御物理スロットにおいては十分長く設定されているが、通信チャネルの通信物理スロットにおいては短く設定されており、この短い通信物理スロットのプリアンブル信号区間において、ブランチの選択と切換えを行おうとすると、このプリアンブル信号区間においてブランチの切換えが完了しないことがあり、この場合はブランチ切換えによる信号誤り等が生じてしまうという不具合があった。
また、受信データが時分割多重されているような場合には、受信するバーストの直前の他のバーストを受信し、このときの最も特性の良いブランチを選択して切換える構成も考えられるが、この場合、直前のバーストがまったく違う他の端末との通信に使用されているときもあるので、この構成も採用できない。
このように、従来の検波前ダイバーシチ方式は、ブランチ切換後は単一の受信系列でよいという長所があるが、通信チャネルの通信物理スロットの受信時のように、プリアンブル信号区間が短くなると、ブランチの選択と切換処理がこのプリアンブル信号区間では間に合わなくなることがあり、この場合はブランチ切り換えによる信号誤り等が生じてしまうという不具合があった。
発明の開示
そこで、この発明は、検波前ダイバーシチ方式を採用し、しかもプリアンブル信号区間が短い通信チャネルの通信物理スロットの受信時においても信号誤り等が生じることなくブランチの切換えを行うことができるようにした選択ダイバーシチ装置およびその制御方法を提供することを目的とする。
上記目的を達成するために、この発明は、複数のアンテナと、前記複数のアンテナにそれぞれ対応して設けられ、各アンテナの受信信号をそれぞれ入力する複数の受信回路ブランチと、前記受信回路ブランチの受信レベルをそれぞれ検出する複数のレベル検出手段と、前記複数のレベル検出手段の検出出力に基づき受信レベルが最大の受信回路ブランチを判定する判定手段と、前記判定手段の判定出力に対応して前記複数の受信回路ブランチの内の１つを選択する選択手段と、第１のタイミングにより前記判定手段による判定を行い、第２のタイミングで前記選択手段による選択を行う判定選択制御手段とを具備して構成される。
ここで、前記受信回路ブランチは、前記アンテナで受信した受信信号を処理する無線周波回路と、前記無線周波回路から出力される無線周波信号を中間周波信号に変換する周波数変換回路とを含み、前記レベル検出手段は、前記周波数変換回路の出力に基づき前記受信レベルを検出する。
また、前記判定手段は、各受信ブランチの受信レベルを比較する比較回路を具備し、前記比較回路の出力に基づき前記受信レベルが最大の受信回路ブランチを判定する。
また、前記アンテナの受信信号は、複数のスロットを含むフレーム構成をとるバースト状の信号であり、該バースト状の信号は、各スロット内にプリアンブル信号を含むとともに、各スロット間にガードタイムが設定されており、前記判定選択制御手段は、前記第１のタイミングを前記プリアンブル信号の期間内に設定し、前記第２のタイミングを前記ガードタイムの期間内に設定する。
また、前記アンテナの受信信号は、複数のスロットを含むフレーム構成をとるバースト状の信号であり、該バースト状の信号は、各スロット内にプリアンブル信号を含むとともに、各スロット間にガードタイムが設定された制御物理スロットと通信物理スロットとを含み、前記制御物理スロットのプリアンブル信号の期間は、前記通信物理スロットのプリアンブル信号の期間より長く設定されており、前記判定選択制御手段は、前記制御物理スロットの受信時には、前記第１のタイミングおよび前記第２のタイミングを前記プリアンブル信号の期間内に設定し、前記通信物理スロットの受信時には、前記第１のタイミングを前記制御物理スロットの受信時と同一のタイミングに設定し、前記第２のタイミングを前記ガードタイムの期間内に設定する。
また、この発明は、制御物理スロットおよび通信物理スロットを含み、各スロット内にプリアンブル信号を含むとともに、各スロット間にガードタイムが設定され、前記制御物理スロットのプリアンブル信号の期間は、前記通信物理スロットのプリアンブル信号の期間より長く設定されたバースト状の信号を受信する複数のアンテナと、前記複数のアンテナにそれぞれ対応して設けられ、各アンテナの受信信号をそれぞれ入力する複数の受信回路ブランチと、前記受信回路ブランチの受信レベルをそれぞれ検出する複数のレベル検出手段と、前記複数のレベル検出手段の検出出力に基づき受信レベルが最大の受信回路ブランチを判定する判定手段と、前記判定手段の判定出力に対応して前記複数の受信回路ブランチの内の１つを選択する選択手段と、前記制御物理スロットの受信時には、該制御物理スロットのプリアンブル信号の期間内の第１のタイミングで前記判定手段による判定を行い、かつ該制御物理スロットのプリアンブル信号の期間内の第２のタイミングで前記選択手段による選択を行い、前記通信物理スロットの受信時には、前記第１のタイミングと同一のタイミングで前記判定手段による判定を行い、前記ガードタイムの期間内の第３のタイミングで前記選択手段による選択を行う判定選択制御手段とを具備して構成される。
ここで、前記アンテナで受信するバースト状の信号は、制御物理スロットおよび通信物理スロットを含むフレームをマルチフレーム化したスーパーフレーム構成の信号からなる。
更に、この発明は、制御物理スロットおよび通信物理スロットを含み、各スロット内にプリアンブル信号を含むとともに、各スロット間にガードタイムが設定され、前記制御物理スロットのプリアンブル信号の期間は、前記通信物理スロットのプリアンブル信号の期間より長く設定されたバースト状の信号を受信する複数のアンテナと、前記複数のアンテナにそれぞれ対応して設けられ、各アンテナの受信信号をそれぞれ入力する複数の受信回路ブランチと、前記受信回路ブランチの受信レベルをそれぞれ検出する複数のレベル検出手段と、前記複数のレベル検出手段の検出出力に基づき受信レベルが最大の受信回路ブランチを判定する判定手段と、前記判定手段の判定出力に対応して前記複数の受信回路ブランチの内の１つを選択する選択手段とを具備する選択ダイバーシチ装置の制御方法において、前記制御物理スロットの受信時には、該制御物理スロットのプリアンブル信号の期間内の第１のタイミングで前記判定手段による判定を行い、かつ該制御物理スロットのプリアンブル信号の期間内の第２のタイミングで前記選択手段による選択を行う第１のステップと、前記通信物理スロットの受信時には、前記第１のタイミングと同一のタイミングで前記判定手段による判定を行い、前記ガードタイムの期間内の第３のタイミングで前記選択手段による選択を行う第２のステップとを具備して構成される。
ここで、前記アンテナで受信するバースト状の信号は、制御物理スロットおよび通信物理スロットを含むフレームをマルチフレーム化したスーパーフレーム構成の信号からなる。
この発明では、プリアンブル信号区間が十分長い制御物理スロットの受信時においては、判定手段による判定および選択手段による受信回路ブランチの選択、すなわち切換えをこのプリアンブル信号区間において行い、プリアンブル信号区間が短い通信物理スロットの受信時においては、制御物理スロットの受信時と同一のタイミングで判定手段による判定を行い、選択手段による受信回路ブランチの選択、すなわち切換えは次のガードタイムにおいて行う。
これにより、複数の受信回路ブランチに位相差があっても信号誤り等が生じることなくブランチの切換えを行うことができる。
【図面の簡単な説明】
図１は、この発明に係る選択ダイバーシチ装置の一実施例を示すブロック図。
図２は、図１に示した選択部におけるブランチの判定、選択を行う回路の詳細構成を示したブロック図。
図３は、制御チャネルで受信する制御物理スロットとブランチの選択、切換えタイミングを示す図。
図４は、ディジタル移動通信で通信チャネルで受信する通信物理スロットとブランチの判定、切換えタイミングを示す図。
図５は、ディジタル移動通信で採用するLCCHスーパーフレーム構成を示すフレーム構成図。
図６は、この発明に係る選択ダイバーシチ装置の他の実施例を示すブロック図。
図７は、この発明の選択ダイバーシチ装置を適用して構成したディジタル移動通信装置の基地局の概略全体構成を示すブロック図。
図８は、図７に示したアンテナスイッチの構成例を示す回路図。
図９は、この発明の選択ダイバーシチ装置を適用して構成したディジタル移動通信装置の移動局の概略全体構成を示すブロック図。
発明を実施するための最良の形態
以下、この発明に係る選択ダイバーシチ装置およびその制御方法の一実施例を添付図面に基づいて詳細に説明する。
図１は、この発明に係る選択ダイバーシチ装置の一実施例を示すブロック図である。
この図１に示す選択ダイバーシチ装置は、例えばディジタル移動通信装置の基地局の無線部の受信系に採用される。この図１に示す選択ダイバーシチ装置は、アンテナ11、無線回路（RF回路）12、中間周波回路（IF回路）13、直交検波器14からなる第１の受信回路ブランチと、アンテナ21、無線回路（RF回路）22、中間周波回路（IF回路）23、直交検波器24からなる第２の受信回路ブランチとを有している。
また、中間周波回路（IF回路）13の受信レベルを検出するレベル検出部15と中間周波回路（IF回路）23の受信レベルを検出するレベル検出部25とを有しており、比較部31は、レベル検出部15の検出レベルとレベル検出部25の検出レベルとを比較する。そして、選択部32は、この比較部31の比較結果に対応して第１の受信回路ブランチと第２の受信回路ブランチのいずれかを選択切換える。
すなわち、比較部31は、レベル検出部15の検出レベルとレベル検出部25の検出レベルとを比較し、選択部32は、レベル検出部15の検出レベルがレベルが検出部25の検出レベルより大きい場合は、第１の受信回路ブランチの出力、すなわち直交検波器14の出力を選択し、また、レベル検出部25の検出レベルがレベル検出部15の検出レベルより大きい場合は、第１の受信回路ブランチの出力、すなわち直交検波器24の出力を選択する。
そして、選択部32で選択された第１の受信回路ブランチまたは第２の受信回路ブランチの出力は、後段の復調器33に加えられる。
ところで、この実施例が適用されるディジタル移動無線装置においては、制御物理スロットおよび通信物理スロットを含み、各スロット内にプリアンブル信号を含むとともに、各スロット間にガードタイムが設定され、前記制御物理スロットのプリアンブル信号の期間は、前記通信物理スロットのプリアンブル信号の期間より長く設定されたバースト状の信号を用いており、アンテナ11および21は、このバースト状の信号を受信する。
ここで、この実施例の選択ダイバーシチ装置においては、制御物理スロットの受信時と通信物理スロットの受信時とで、選択部32における第１の受信回路ブランチと第２の受信回路ブランチの選択タイミング、すなわち切換タイミングを異ならせるように構成されている。
すなわち、比較部31におけるレベル検出部15の検出レベルとレベル検出部25の検出レベルとの比較タイミング、すなわち第１の受信回路ブランチと第２の受信回路ブランチのいずれを使用するかの判定タイミングは同一に設定されているが、選択部32における第１の受信回路ブランチと第２の受信回路ブランチの選択タイミング、すなわち切換タイミングは、制御物理スロットの受信時と通信物理スロットの受信時とで異なる。
図２は、図１に示した選択部32におけるブランチの選択、すなわち切換えを行う制御部の詳細構成を示したものである。この回路は、図１に示した比較部31の比較出力をラッチするラッチ回路321、ラッチ回路321のラッチタイミング、すなわちブランチ選択の判定タイミングを示す判定タイミング信号を発生する判定タイミング発生回路323、ブランチ切換の切換タイミングを示す切換タイミング信号を発生する切換タイミング発生回路327、切換タイミング発生回路327から発生された切換タイミング信号を選択するタイミング選択部326、タイミング選択部326で選択された切換タイミング信号をトリガとしてラッチ回路321にラッチされた信号に基づきブランチ切換信号を出力するブランチ切換信号出力回路322、中央演算処理装置（CPU）324、この中央演算処理装置324の出力を入力するポート325を具備している。
図２において、比較部31は、第１の受信回路ブランチのレベル検出部15の検出レベルである受信レベルＡと第２の受信回路ブランチのレベル検出部25の検出レベルである受信レベルＢとを比較し、その比較結果を判定タイミング発生回路323から発生される判定タイミング信号のタイミングでラッチ回路321にラッチする。ここで、判定タイミング発生回路323は、制御物理スロットのプリアンブル信号の期間内に判定タイミング信号を発生するように構成されている。
また、中央演算処理装置（CPU）324は、受信するバースト信号が制御物理スロットか通信物理スロットかをそのシーケンスから判断して、その判断結果をポート部325を介してタイミング選択部326に出力する。
タイミング選択部326は、ポート部325からの信号が、受信スロットが制御物理スロットであることを示す場合は、切換タイミング発生回路327から発生された切換タイミング信号を制御物理スロットのプリアンブル信号の期間内で選択してブランチ切換信号出力回路322に出力し、また、ポート部325からの信号が、受信スロットが通信物理スロットであることを示す場合は、切換タイミング発生回路327から発生された切換タイミング信号を通信物理スロットの１フレーム後のガードタイムの期間内で選択してブランチ切換信号出力回路322に出力する。
ブランチ切換信号出力回路322は、タイミング選択部326から加えられる切換タイミング信号のタイミングで、ラッチ回路321にラッチされた信号に基づきブランチ切換信号を作成して出力する。
すなわち、図２に回路によると、比較回路31の比較結果は、制御物理スロットの受信時および通信物理スロットの受信時ともに判定タイミング発生回路323から発生される判定タイミング信号のタイミング、すなわち制御物理スロットのプリアンブル信号の期間内のタイミングでラッチされるが、ブランチ切換信号出力回路322からは、制御物理スロットの受信時には、制御物理スロットのプリアンブル信号の期間内のタイミングでブランチ切換信号が出力され、通信物理スロットの受信時には、１フレーム後の通信物理スロットのガードタイムの期間内のタイミングで出力される。
図３は、この実施例が適用されるディジタル移動通信装置で使用される制御物理スロットの一例を示したものであり、図４は通信物理スロットの一例を示したものである。また図５は、この実施例が適用されるディジタル移動通信装置で使用されるLCCHスーパーフレーム構成を示したものである。
次に、この図３乃至図５を参照して図１および図２に示した選択ダイバーシチ装置の動作を更に詳細に説明する。
図３に示す制御物理スロットは、４ビットのバースト過度応答タイムビットＲ、２ビットのスタートシンボルビットSS、62ビットのプリアンブルビットPR、32ビットの同期ワードビットUW、108ビットの制御信号ビットCAC、16ビットのチェックビットCRCから構成され、チェックビットCRCの後に16ビットのガードタイムビットが設けられている。
また、図４に示す通信物理スロットは、４ビットのバースト過度応答タイムビットＲ、２ビットのスタートシンボルビットSS、６ビットのプリアンブルビットPR、16ビットの同期ワードビットUW、180ビットの情報信号ビットＩ、16ビットのチェックビットCRCから構成され、チェックビットCRCの後に16ビットのガードタイムビットが設けられている。
また、図５に示すこの実施例が適用されるディジタル移動通信装置で使用されるLCCHスーパーフレーム構成は、nSG＝２、nSUB＝４、nPCH＝３、nGROUP＝２に設定されたもので、１フレーム８スロットをフレーム基本単位とし、１スロットを625μｓ、１フレームを5msとし、150ms毎に各スロットが現れるマルチフレーム構成とし、全体として、BC,S,S,P1,S,S,S,P2を1.2sで繰り返すLCCHスーパーフレーム構成を採用している。
ここで、BCはシステム情報報知メッセージ（BCCH）を示し、Ｓは、リンクチャネル確立要求およびリンクチャネル割当（SCCH）を示し、P1,P2は、着呼（PCH）を示す。
ところで、図３乃至図５に示すスロット構成およびフレーム構成を考えた場合、制御物理スロットのプリアンブルビットPRは図３に示すように62ビットと十分に長く、このプリアンブルビットPRの期間内にブランチの選択と切換えを行うことは可能であるが、通信物理スロットのプリアンブルビットPRは図４に示すように６ビットと短く、このプリアンブルビットPRの期間内にブランチの選択と切換えを行うことはできない。
また、図５に示すようなLCCHスーパーフレーム構成をとる場合、通信物理フレームは5ms毎に現れることになるが、制御物理スロットは1.2sで間欠的に現れることになるので、１回で正確に受信できないと、端末間の接続に要する時間が長くなる。
そこで、この実施例においては、プリアンブルビットPRが十分に長く、このプリアンブルビットPRの期間内にブランチの選択と切換えを行うことは可能であり、かつ１回で正確に受信できないと、端末間の接続に要する時間が長くなる制御物理スロットの受信時には、プリアンブルビットPRの期間内にブランチの選択と切換えを行い、プリアンブルビットPRが短く、かつ5ms毎に現れる通信物理スロットの受信時においては、制御物理スロットの受信時と同一のタイミングでブランチの判定を行い、ブランチの切換えは１フレーム後のガードタイムにおいて行うように構成される。
すなわち、図３に示すように、制御物理スロットの受信時には、制御物理スロットのバースト過度応答タイムビットＲの先頭から18ビット目、すなわち制御物理スロットのプリアンブルビットPRの期間内でブランチの判定および切換をおこなう。
具体的には、図２に示した構成において、判定タイミング発生回路323から、制御物理スロットのバースト過度応答タイムビットＲの先頭から18ビット目のタイミングで判定タイミング信号を発生してこの判定タイミング信号に同期して比較部31の比較結果をラッチ回路321にラッチすることにより使用するブランチの判定を行い、また、切換タイミング発生回路327から発生される切換タイミング信号をこの制御物理スロットのプリアンブルビットPRの期間内でタイミング選択部326により選択してブランチ切換信号出力回路322に加えることにより、ブランチ切換信号出力回路322からこの制御物理スロットのプリアンブルビットPRの期間内にブランチ切換信号を発生させ、このブランチ切換信号によりブランチの切換を行う。
これに対し、図４に示すように、通信物理スロットの受信時には、制御物理スロットの受信時と同様のタイミングでブランチの判定を行い、ブランチの切換は１フレーム後のガードタイムの期間内において行う。
具体的には、図２に示した構成において、判定タイミング発生回路323から、制御物理スロットの受信時と同様に、通信物理スロットのバースト過度応答タイムビットＲの先頭から18ビット目のタイミング、すなわち、この場合は、通信物理スロットの同期ワードビットUWの期間内で判定タイミング信号を発生してこの判定タイミング信号に同期して比較部31の比較結果をラッチ回路321にラッチすることにより使用するブランチの判定を行い、また、切換タイミング発生回路327から発生される切換タイミング信号をこの通信物理スロットの１フレーム後のガードタイムの期間内でタイミング選択部326により選択してブランチ切換信号出力回路322に加えることにより、ブランチ切換信号出力回路322からこの通信物理スロットの１フレーム後のガードタイムの期間内にブランチ切換信号を発生させ、このブランチ切換信号によりブランチの切換を行う。
この場合、通信チャネル受信時のブランチの切り換え周期は5msとなり、0.1sのフェージング周期より充分短くなる。
このように、この実施例においては、受信するバーストに含まれるプリアンブル信号区間がブランチの判定と切換えに要する時間に対して充分長い制御物理スロットの受信時はプリアンブル信号区間でブランチの判定と切換えを行い、充分でない通信物理スロットの受信時はバースト受信中にブランチの判定を行い、ブランチを切換えは１フレーム後の当該バーストの直前のガードタイムでを行うように構成したので、複数系統の受信信号に位相差があっても信号誤りが生じることなくブランチを切換えることができ、しかもブランチの切換点以降を１系統とすることができるので、低コスト化、消費電力の低減化、装置の小型化を達成することのできる選択ダイバーシチ装置を得ることができる。
なお、上記実施例においては、第１の受信回路ブランチをアンテナ11、無線回路（RF回路）12、中間周波回路（IF回路）13、直交検波器14から構成し、第２の受信回路ブランチをアンテナ21、無線回路（RF回路）22、中間周波回路（IF回路）23、直交検波器24から構成したが、図６に示すように、直交検波器14および直交検波器24の代わりに直交検波器34を設け、選択部32では、第１の受信回路ブランチの出力として中間周波回路（IF回路）13の出力または第２の受信回路ブランチの出力として中間周波回路（IF回路）23の出力のいずれかを選択し、その後、この選択部32の出力を直交検波器34を介して復調器33に加えるように構成してもよい。
図７は、この発明の選択ダイバーシチ装置を適用して構成したディジタル移動通信装置の基地局の全体構成を示したものであり、図９は、この基地局と無線回線で接続される移動局の全体構成を示したものである。
図７に示すディジタル移動通信装置の基地局100は、1.9GHz帯の信号を送受信するもので、２本のアンテナ101,102および２系統の受信高周波回路104,105および１系統の送信高周波回路106を具備しており、２系統の受信高周波回路104,105および１系統の送信高周波回路106はアンテナスイッチ103を介して２本のアンテナ101,102に接続されている。
また、２系統の受信高周波回路104,105の出力は、ダイバーシチ切換回路108を介してチャンルコーデック109に接続され、チャンルコーデック109は、ADPCMコーデック110を介して内線インタフェース回路111に接続され、内線インタフェース回路111は、インタフェーストランス114,115を介して図示しない構内交換機（PBX）の内線端子に接続され、また、チャンルコーデック109の出力は送信高周波回路106に接続されている。
また、２系統の受信高周波回路104,105および１系統の送信高周波回路106には、周波数シンセサイザ107の出力が加えられている。
また、アンテナスイッチ103、ダイバーシチ切換回路108、チャンルコーデック109、ADPCMコーデック110、内線インタフェース回路111、周波数シンセサイザ107には制御回路112が接続され、これらの回路の動作はこの制御回路112により制御される。
また、制御回路112には、この基地局100を識別するためにIDコードを記憶するIDメモリ113が接続されている。
また、この基地局100には、AC100VをDC12Vに変換するAC/DC変換回路121を有する電源部120が接続されており、このAC/DC変換回路121の出力は基地局100の給電切換回路116に加えられ、給電切換回路116はAC/DC変換回路121の出力またはPBX電源とを切換えて電源回路117に供給し、電源回路117は、基地局100の各部に電源を供給するように構成されている。
かかる構成において、２系統の受信高周波回路104,105およびダイバーシチ切換回路108により、この発明に係わる選択ダイバーシチ装置を構成している。
すなわち、図７のダイバーシチ切換回路108は、２系統の受信高周波回路104,105の受信レベルに対応して２系統の受信高周波回路104,105のいずれを使用するかを判定、切換えるように構成されており、ここで、２系統の受信高周波回路104,105のいずれを使用するかの判定は、アンテナ101,102で受信したバースト信号の一定のタイミングで行い、その切換は、受信するバーストに含まれるプリアンブル信号区間がブランチの判定と切換えに要する時間に対して充分長い制御物理スロットの受信時はプリアンブル信号区間で行い、充分でない通信物理スロットの受信時は１フレーム後の当該バーストの直前のガードタイムでを行うように構成される。そして、上記制御は、図７の構成においては制御回路112により行われれる。
図８は、図７に示したアンテナスイッチ103の詳細構成例を示したものである。この図８に示すアンテナスイッチ103は５端子T1〜T5に分岐されたストリップライン103と、各端子T1〜T5に対応して設けられた高周波スイッチSW1〜SW5とから構成されている。
ここで、ストリップライン130の端子T1には、受信高周波回路104が接続され、端子T2には、アンテナ101が接続され、端子T3には、送信高周波回路106が接続され、端子T4には、アンテナ102が接続され、端子T5には、受信高周波回路105が接続される。
また、高周波スイッチSW1〜SW5は、それぞれ、ストリップライン130の各端子T1〜T5の信号を高周波的に接地したり（この状態を高周波スイッチのオフという）、接地から切り離したり（この状態を高周波スイッチのオンという）するダイオードスイッチとして機能するものである。
具体的には、高周波スイッチSW1は、コンデンサC1,C2、抵抗R1,R2、ダイオードD1から構成され、端子V1に−4V、端子V2に＋4Vを加えるとオンになり、逆に、端子V1に＋4V、端子V2に−4Vを加えるとオフになる。
また、高周波スイッチSW2は、コンデンサC3,C4、抵抗R3,R4、ダイオードD2から構成され、端子V3に−4V、端子V4に＋4Vを加えるとオンになり、逆に、端子V3に＋4V、端子V4に−4Vを加えるとオフになる。
また、高周波スイッチSW3は、コンデンサC5,C6、抵抗R5,R6、ダイオードD3から構成され、端子V5に−4V、端子V6に＋4Vを加えるとオンになり、逆に、端子V5に＋4V、端子V6に−4Vを加えるとオフになる。
また、高周波スイッチSW4は、コンデンサC7,C8、抵抗R7,R8、ダイオードD4から構成され、端子V7に−4V、端子V8に＋4Vを加えるとオンになり、逆に、端子V7に＋4V、端子V8に−4Vを加えるとオフになる。
また、高周波スイッチSW5は、コンデンサC9,C10、抵抗R9,R10、ダイオードD5から構成され、端子V9に−4V、端子V10に＋4Vを加えるとオンになり、逆に、端子V9に＋4V、端子V10に−4Vを加えるとオフになる。
このような構成において、基地局100の受信時には、高周波スイッチSW3のみをオンにし、他の高周波スイッチSW1、SW2、SW4、W5はオフにする。この状態で、アンテナ101で受信した高周波信号は受信高周波回路104へ出力され、アンテナ102で受信した高周波信号は受信高周波回路105へ出力される。また、送信高周波回路106からの高周波信号は高周波スイッチSW3を介して接地されるので、アンテナ101および102のいずれからも出力されない。
また、基地局100の送信時には、アンテナ101および102の内の受信感度のよいアンテナを用いて送信を行う。例えば、アンテナ101の方がアンテナ102より受信感度がよいとすると、高周波スイッチSW1とSW4をオフにし、高周波スイッチSW3をオンにする。この場合、送信高周波回路106からの高周波信号はアンテナ101から出力される。
逆に、アンテナ102の方がアンテナ102より受信感度がよいとすると、高周波スイッチSW2とSW5をオフにし、高周波スイッチSW3をオンにする。この場合、送信高周波回路106からの高周波信号はアンテナ102から出力される。
また、図９に示すディジタル移動通信装置の移動局200は、１本のアンテナ201を具備しており、このアンテナ201は、アンテナスイッチ202を介して送信高周波回路203および受信高周波回路204に接続される。
この送信高周波回路203は、チャネルコーデック206、音声コーデック207を介してマイクロフォン210およびヘッドセット端子216の音声入力端子に接続され、受信高周波回路204は、チャネルコーデック206、音声コーデック207を介してスピーカ211に接続されるとともに、アンプ214、ダイオード回路215を介してヘットセット端子216の音声出力端子に接続される。
また、送信高周波回路203および受信高周波回路204には、周波数シンセサイザ205の出力が加えられている。
また、周波数シンセサイザ205、チャネルコーデック206、音声コーデック207には制御回路208が接続され、これらの回路の動作はこの制御回路208により制御される。
また、制御回路208には、この移動局200を識別するためにIDコードを記憶するIDメモリ209が接続されており、更にこの制御回路208には、着呼を知らせるためにサウンダ213が、アンプ212を介して接続されている。
また、この移動局200には、電池パック220が接続されており、この電池パック220から出力されるDC4.8Vは電源回路217に供給され、電源回路217は、これにより移動局200の各部に電源を供給するように構成されている。
なお、上記実施例においては、ディジタル移動通信装置の基地局にこの発明の選択ダイバーシチ装置を適用する場合を示したが、この発明の選択ダイバーシチ装置は、同様にディジタル移動通信装置の移動局にも適用することができるものである。
産業上の利用可能性
以上説明したように、この発明によれば、プリアンブル信号区間が十分長い制御物理スロットの受信時においては、使用する（切換える）ブランチの判定およびブランチの切換えをこのプリアンブル信号区間において行い、プリアンブル信号区間が短い通信物理スロットの受信時においては、制御物理スロットの受信時と同一のタイミングで使用する（切換える）ブランチの判定を行うが、その切換は次のガードタイムにおいて行うように構成したので、ブランチ切換に際して信号誤りが生じず、かつ低コスト化、消費電力の低減化、装置の小型化を達成することのできるディジタル移動通信装置に適用して好適な選択ダイバーシチ装置およびその制御方法を提供することができる。
【図１】
0003575803.tif 000002
【図２】
0003575803.tif 000003
【図３】
0003575803.tif 000004
【図４】
0003575803.tif 000005
【図５】
0003575803.tif 000006
【図６】
0003575803.tif 000007
【図７】
0003575803.tif 000008
【図８】
0003575803.tif 000009
【図９】
0003575803.tif 000010